(57)【要約】  本発明の掃除機据置台は、掃除機を充電するための充電端子が備えられる第１本体；前記第１本体と連結され、前記掃除機を支持し、バッテリーが収容される収容空間を備える第２本体；および前記第１本体に回転可能に連結され、前記掃除機を固定させるためのロッキング部を含み、前記ロッキング部に一方向に所定の力が加えられると、前記ロッキング部が一側に回転して前記掃除機と結合することによって前記掃除機を固定し、前記ロッキング部に他方向に所定の力が加えられると、前記ロッキング部が他側に回転することによって前記掃除機との結合が解除される。【選択図】  図６
2019514605.tif 000002
【特許請求の範囲】
【請求項１】
掃除機据置台であって、
掃除機を充電するための充電端子が備えられる第１本体；
前記第１本体と連結され、前記掃除機を支持し、バッテリーが収容される収容空間を備える第２本体；及び
前記第１本体に回転可能に連結され、前記掃除機を固定させるためのロッキング部を備えてなり、
前記ロッキング部に一方向に所定の力が加えられると、前記ロッキング部が一側に回転して前記掃除機と結合することによって前記掃除機を固定し、
前記ロッキング部に他方向に所定の力が加えられると、前記ロッキング部が他側に回転することによって前記掃除機との結合が解除されるものである、掃除機据置台。
【請求項２】
前記第１本体には、弾性部材及び前記弾性部材の弾性力を前記ロッキング部で伝達するためのリンク部材が備えられてなり、
前記リンク部材は、前記ロッキング部に連結されて前記ロッキング部が閉じられた状態又は開かれた状態を維持するように弾性力を伝達する、請求項１に記載の掃除機据置台。
【請求項３】
前記リンク部材は、複数備えられてなり、
前記複数のリンク部材は、前記ロッキング部に回転可能に連結される第１リンク部材；及び
前記第１リンク部材と連結され、所定の範囲内で上下方向に移動可能である第２リンク部材を備えてなる、請求項２に記載の掃除機据置台。
【請求項４】
前記第１リンク部材は、
前記ロッキング部に回転可能に連結される第１ヒンジ軸；及び
前記第２リンク部材に回転可能に連結される第２ヒンジ軸を備えてなる、請求項３に記載の掃除機据置台。
【請求項５】
前記第２リンク部材には、前記第２ヒンジ軸が挿入される結合溝が備えられてなる、請求項４に記載の掃除機据置台。
【請求項６】
前記結合溝は、上側が開口されたものである、請求項５に記載の掃除機据置台。
【請求項７】
前記第２リンク部材には、前記第２リンク部材の上下方向の移動をガイドするガイド部材が備えられてなる、請求項６に記載の掃除機据置台。
【請求項８】
前記弾性部材の一側は、前記第１本体に結合され、前記弾性部材の他側は、前記第２リンク部材の下側に結合されてなり、
前記弾性部材は、前記第２リンク部材に上側に弾性力を提供するものである、請求項３に記載の掃除機据置台。
【請求項９】
前記第２リンク部材には、前記弾性部材の少なくとも一部が挿入される挿入溝が備えられてなる、請求項３に記載の掃除機据置台。
【請求項１０】
前記ロッキング部は、
前記第１本体に回転可能に連結される第１ヒンジ部；及び
前記第１リンク部材に回転可能に連結される第２ヒンジ部を備えてなる、請求項３に記載の掃除機据置台。
【請求項１１】
前記ロッキング部には、前記掃除機が前記充電端子に接触する過程で前記清掃機と接触する抑え部が備えられてなり、
前記抑え部が前記掃除機によって加圧されると、前記ロッキング部が回転して前記掃除機と結合する、請求項１に記載の掃除機据置台。
【請求項１２】
前記第１本体又は前記第２本体に備えられてなり、前記リンク部材を制御することによって前記ロッキング部の一側又は他側方向の回転を調節するための操作ボタンをさらに備えてなる、請求項２に記載の掃除機据置台。
【請求項１３】
前記第１本体には、
前記ロッキング部の下側方向の回転範囲を制限する第１ストッパー；及び
前記ロッキング部の上側方向の回転範囲を制限する第２ストッパーが備えられてなる、請求項１に記載の掃除機据置台。
【請求項１４】
掃除機据置台であって、
掃除機を充電するための充電端子が備えられる第１本体；
前記第１本体と連結され、前記掃除機を支持し、バッテリーを収容する収容空間を備えられる第２本体；
前記第１本体に備えられ、前記掃除機のバッテリーハウジングと結合することによって前記掃除機を固定させるための第１固定部材；及び
前記第２本体に備えられ、前記掃除機の集塵筒と結合することによって前記掃除機を固定させる第２固定部材を備え、
前記第２本体には、前記掃除機の集塵筒と接触して前記掃除機の移動をガイドする掃除機ガイドが備えられてなる、掃除機据置台。
【請求項１５】
前記第１固定部材は、前記第１本体に回転可能に連結され、前記掃除機のバッテリーハウジングに結合されることによって前記掃除機を固定させる、請求項１４に記載の掃除機据置台。
【請求項１６】
前記掃除機の集塵筒には、前記第２固定部材が挿入される固定溝が形成され、
前記掃除機の端子が前記充電端子に接触すると、前記第２固定部材は、前記掃除機の固定溝に挿入されて前記掃除機を固定させる、請求項１４に記載の掃除機据置台。
【請求項１７】
前記第２固定部材には、弾性部が連結され、前記第２固定部材は前記弾性部の弾性力によって支持される、請求項１４に記載の掃除機据置台。
【請求項１８】
前記第１本体又は前記第２本体に備えられてなり、前記第２固定部材と前記掃除機の結合が解除されるように前記第２固定部材を制御する操作ボタンをさらに備えてなる、請求項１４に記載の掃除機据置台。
【発明の詳細な説明】
【技術分野】
【０００１】
本明細書は、掃除機据置台に関する。
【背景技術】
【０００２】
掃除機は、掃除対象領域の塵埃や異物を吸い込んだり拭いて掃除を行う機器である。
【０００３】
このような掃除機は、使用者が直接掃除機を移動させながら掃除を行うための手動掃除機と、自律走行しながら掃除を行う自動掃除機に区分され得る。手動掃除機は、掃除機の形態により、キャニスタタイプ掃除機、アップライトタイプ掃除機、ハンディ型掃除機、スティック型掃除機などに区分され得る。
【０００４】
上述した掃除機は、充電式バッテリーを内蔵するように構成され、充電式バッテリーは、随時充電されて初めて掃除機の動作のための電源を供給することができる。したがって、掃除機は充電式バッテリーを充電すると共に掃除機を据え置くことができる据置台を必要とする。
【０００５】
先行文献である大韓民国登録特許公報第１０-２０１２-０１０３９５６号には真空掃除機充電台に対する内容が開示されている。
【０００６】
先行文献の真空掃除機充電台は、真空掃除機を充電すると共に据え置くように、真空掃除機のヘッドを据え置くための受け台および真空掃除機を充電するための充電ピンが備えられた支持台を含む。
【０００７】
先行文献の充電台は、真空掃除機を支持するために垂直方向に突出支持片を含む。但し、このような先行文献の突出支持片は、単純に真空掃除機の下側から挿入される構造であるので真空掃除機を安定的に支持することが困難であるという短所がある。
【発明の概要】
【発明が解決しようとする課題】
【０００８】
本発明の目的は、掃除機を据え置くことと別に掃除機を固定させることができる別途の固定部材を備える掃除機の充電台を提供することにある。
【０００９】
本発明の目的は、掃除機の上側および下側をそれぞれ別途の部材で固定することによって掃除機を安定的に固定できる掃除機充電台を提供することにある。
【課題を解決するための手段】
【００１０】
一側面に係る掃除機据置台は、掃除機を充電するための充電端子が備えられる第１本体；前記第１本体と連結され、前記掃除機を支持し、バッテリーが収容される収容空間を備える第２本体；および前記第１本体に回転可能に連結され、前記掃除機を固定させるためのロッキング部を含み、前記ロッキング部に一方向に所定の力が加えられると、前記ロッキング部が一側に回転して前記掃除機と結合することによって前記掃除機を固定し、前記ロッキング部に他方向に所定の力が加えられると、前記ロッキング部が他側に回転することによって前記掃除機との結合が解除される。
【００１１】
他の側面に係る掃除機据置台は、掃除機を充電するための充電端子が備えられる第１本体；前記第１本体と連結され、前記掃除機を支持し、バッテリーを収容する収容空間を備える第２本体；前記第１本体に備えられ、前記掃除機のバッテリーハウジングと結合することによって前記掃除機を固定させるための第１固定部材；および前記第２本体に備えられ、前記掃除機の集塵筒と結合することによって前記掃除機を固定させる第２固定部材を含み、前記第２本体には、前記掃除機の集塵筒と接触して前記掃除機の移動をガイドする掃除機ガイドが備えられる。
【発明の効果】
【００１２】
本発明の実施例によると、掃除機を据え置く第２本体と別にロッキング部が掃除機のバッテリーハウジングと結合することによって掃除機を安定的に据え置くことができる。
【００１３】
また、本発明の掃除機充電台によると、掃除機が掃除機ガイドによってガイドされる過程において、ロッキング部の抑え部を加圧すると、ロッキング部が回転することによって掃除機と結合することができるので、掃除機を容易に固定できるという長所がある。
【００１４】
また、本発明の掃除機充電台によると、ロッキング部に複数のリンク部材および弾性部材が連結されることによってロッキング部の開かれた状態または閉じられた状態が維持され得るので、使用者の便宜性が向上することができる。
【００１５】
また、本発明の掃除機充電台によると、ロッキング部を利用して掃除機のバッテリーハウジングを固定し、固定突起は掃除機の集塵筒と結合することによって、掃除機の上側および下側を同時に固定することができるので、掃除機をさらに安定的に固定させることができる。
【００１６】
また、前記固定突起は、弾性部によって弾性支持されるので掃除機の固定溝に挿入されることが容易であり、前記固定突起は、操作ボタンによって掃除機から分離され得るので、掃除機を掃除機充電台に装着したり、脱去することが容易であるという長所がある。
【図面の簡単な説明】
【００１７】
【図１】本発明の一実施例に係る掃除機据置台の斜視図である。
【図２】図１の掃除機据置台の正面図である。
【図３】図３は、図１の掃除機据置台の側面図である。
【図４】図１の掃除機据置台の背面図である。
【図５】掃除機据置台に掃除機が据え置かれた様子を示す図である。
【図６】図６（ａ）は、掃除機が支持部に結合される様子を示す図である。図６（ｂ）は、ロッキング部が掃除機に結合される様子を示す図である。
【図７】第１本体からロッキング部が脱去された様子を示す図である。
【図８】ロッキング部の背面を示す図である。
【図９】第１本体から前面カバーが脱去された様子を示す図である。
【図１０】図９のロッキング部が上側に回転した様子を示す図である。
【図１１】図９でロッキング部が除去された様子を示す図である。
【図１２】ロッキング部が上側に回転した場合のリンク部材の様子を示す図である。
【図１３】図１１の分解斜視図である。
【図１４】ロッキング部が閉じられた状態で断面が第１リンク部材を通るように切開した据置台の縦断面図である。
【図１５】ロッキング部が閉じられた状態で断面が第２リンク部材を通るように切開した据置台の縦断面図である。
【図１６】ロッキング部が閉じられた状態で断面が第２リンク部材のガイド部材を通るように切開した据置台の縦断面図である。
【図１７】ロッキング部が開かれた状態での据置台の縦断面図である。
【図１８】掃除機の据置台から補助バッテリーが分離された様子を示す図である。
【図１９】図１８の第２本体の内部を示す図である。
【図２０】充電台の縦断面図である。
【図２１】充電台からノズルが分離された様子を示す図である。
【図２２】充電台がスタンドから分離された様子を示す図である。
【図２３】掃除機が据え置かれた充電台が壁面に装着された様子を示す図である。
【図２４】充電台が床面によって支持される様子を示す図である。
【発明を実施するための形態】
【００１８】
以下、本発明の一部の実施例を例示的な図面を通じて詳細に説明する。各図面の構成要素に参照符号を付けることにおいて、同一の構成要素に沿っては、たとえ他の図面上に示されてもできるだけ同じ符号を付けたことに留意しなければならない。また、本発明の実施例を説明することにおいて、関連した公知の構成または機能に沿っての具体的な説明が本発明の実施例に対する理解を妨害すると判断される場合にはその詳細な説明は省略する。
【００１９】
また、本発明の構成要素を説明することにおいて、第１、第２、Ａ、Ｂ、（ａ）、（ｂ）等の用語を使用し得る。このような用語は、単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００２０】
図１は、本発明の一実施例に係る掃除機据置台の斜視図であり、図２は、図１の掃除機据置台の正面図であり、図３は、図１の掃除機据置台の側面図であり、図４は、図１の掃除機据置台の背面図であり、図５は、掃除機据置台に掃除機が据え置かれた様子を示す図である。
【００２１】
図１ないし図５を参照すると、本発明の一側面に係る掃除機据置台１０は、掃除機３００を充電するための充電台１００を含む。前記充電台１００は、前記掃除機３００を支持すると共に前記掃除機３００に備えられたバッテリーを充電することができる。
【００２２】
前記掃除機３００は、吸込モーターが備えられた掃除機本体３１０、バッテリーが収容されるバッテリーハウジング３２０、延長管３３０および吸込ノズル３４０を含むことができる。前記掃除機本体３１０は、塵埃を分離するための塵埃分離部３１２と、前記塵埃分離部３１２から分離された塵埃が集塵される集塵筒３１４を含むことができる。前記掃除機本体３１０で発生した吸込力によって外部の空気は、前記吸込ノズル３４０および前記延長管３３０を通じて流入されて前記掃除機本体３１０に備えられた集塵筒３１４に移動することができる。
【００２３】
前記充電台１００は、第１本体１１０を含む。
【００２４】
前記第１本体１１０には、第１充電端子１１３が備えられる。前記第１充電端子１１３は、前記掃除機３００の端子と接触して前記掃除機３００に備えられたバッテリーを充電することができる。
【００２５】
前記充電台１００は、前記第１本体１１０と連結され、補助バッテリーが収容される第２本体１３０を含む。前記第２本体１３０は、前記第１本体１１０から突出して形成され得る。前記第１本体１１０と前記第２本体１３０は、示されたように一体に形成されるが、これに制限されない。
【００２６】
前記補助バッテリー３０２は、前記掃除機３００に脱着可能に連結されて前記掃除機３００を駆動するための電源を供給することができる。前記第２本体１３０には、前記補助バッテリー３０２を充電するための第２充電端子１３１（図１９参照）が備えられ得る。
【００２７】
前記第１充電端子１１３による前記掃除機３００の充電と、前記第２充電端子１３１による前記補助バッテリー３０２の充電は、それぞれ独立的に行われ得る。具体的に、前記掃除機３００の充電と前記補助バッテリー３０２の充電は、同時に行われるか、または、いずれか一つの充電が完了した後に残りの一つの充電が行われ得る。また、前記掃除機３００の充電と前記補助バッテリー３０２の充電が交互に行われ得る。
【００２８】
一例として、前記第１充電端子１１３による前記掃除機３００のバッテリーが完全充電された後に前記第２充電端子１３１による前記補助バッテリー３０２の充電が開始され得る。他の例として、前記第２充電端子１３１による補助バッテリー３０２の充電が完了した後に前記第１充電端子１１３による前記掃除機３００の充電が開始され得る。前記第１本体１１０には、余分のノズル３０３、３０４が結合され得る。前記ノズル３０３、３０４は、掃除機３００などに脱着可能であり得る。一般的に掃除機は、交換可能な吸込ノズルを用途により複数備えることができる。したがって、使用しない吸込ノズルは保管が不便な短所があるが、このように前記吸込ノズル３０３、３０４を前記充電台１００に結合された状態で保管するようになると、紛失の危険が減少し、使用者はこれを容易に使用することができる。前記余分のノズル３０３、３０４をアクセサリーと称することができる。
【００２９】
前記第２本体１３０には,前記掃除機本体３１０を固定するための固定部材１１６が備えられ得る。前記固定部材１１６は,前記第２本体１３０から突出して形成され得る。また、前記固定部材１１６には、弾性部材（図示せず）が連結されることによって外力によって前記第２本体１３０に選択的に引き入れられ得る。一方、前記固定部材１１６は、前記第２本体１３０でなく前記第１本体１１０に備えられることもある。
【００３０】
前記固定部材１１６は、前記掃除機本体３１０に挿入されることによって前記掃除機本体３１０を固定することができる。前記掃除機本体３１０には、前記固定部材１１６が挿入される固定溝（図示せず）が形成され得る。
【００３１】
一方、示されなかったが、前記充電台１００には、前記固定部材１１６の出し入れを制御するための操作ボタン（図示せず）が備えられ得る。具体的に、使用者が前記操作ボタンを押すと、前記固定部材１１６が前記第２本体１３０に挿入されることによって前記固定部材１１６と前記掃除機本体３１０との間の結合が解除され得る。
【００３２】
前記第２本体１３０には、前記掃除機本体３１０の装着をガイドするための掃除機ガイド１３７が備えられ得る。前記掃除機ガイド１３７は、床面と並ぶように形成され得る。前記掃除機本体３１０は、前記掃除機ガイド１３７に沿って後方にガイドされて前記第１充電端子１１３と接触することができる。前記掃除機ガイド１３７は、前記掃除機本体３１０をガイドすると共に前記掃除機本体３１０の荷重を支持することができる。必要に応じて、前記掃除機ガイド１３７を「掃除機支持部１３７」と称することができる。
【００３３】
前記掃除機ガイド１３７の上方に前記掃除機３００が据え置かれる場合、前記補助バッテリー３０２が外部から見られないように遮蔽され得る。示されたように前記掃除機ガイド１３７は、前記第２本体１３０と一体に形成されるが、このような特徴に制限されない。
【００３４】
前記固定部材１１６は、前記掃除機ガイド１３７の後段部側に備えられ得る。これに伴い、前記掃除機本体３１０は、前記掃除機ガイド１３７に沿って前記第１充電端子１１３側にガイドされた後に前記固定部材１１６と結合することができる。
【００３５】
前記充電台１００は、前記第１本体１１０に備えられるロッキング部１２０をさらに含むことができる。前記ロッキング部１２０は、前記第１本体１１０の上側に備えられ得る。前記ロッキング部１２０は、前記掃除機３００と結合して前記掃除機３００を安定的に固定することができる。
【００３６】
具体的に、前記ロッキング部１２０は、前記バッテリーハウジング３２０と結合して前記掃除機３００を支持することができる。前記ロッキング部１２０の内周面は、前記バッテリーハウジング３２０の外周面を囲むように前記バッテリーハウジング３２０の外周面と対応する形状に形成され得る。
【００３７】
使用者は、前記ロッキング部１２０を前後方に選択的に回転させて前記バッテリーハウジング３２０と結合させることができる。前記ロッキング部１２０には、使用者が把持することが容易となるように摩擦力が提供される滑り防止部１２２が備えられ得る。前記滑り防止部１２２は、前記ロッキング部１２０の外周面から突出した複数の突起を含むことができる。
【００３８】
前記掃除機据置台１０は、前記充電台１００を支持するためのスタンド２００をさらに含むことができる。
【００３９】
前記スタンド２００は、底面に安着されるベース２１０および前記ベース２１０に備えられる支持台２２０を含むことができる。前記支持台２２０は、前記充電台１００に分離可能に結合され得る。前記支持台２２０は、前記ベース２１０から鉛直方向に延びることができる。
【００４０】
前記支持台２２０の下段部は、前記ベース２１０と連結され、前記支持台２２０の上段部は、前記充電台１００と連結される。前記支持台２２０の上段部は、前記充電台１００の重心Ｇの鉛直下方で前記充電台１００と連結され得る。これに伴い、前記支持台２２０は、前記充電台１００を安定的に支持することができる。
【００４１】
前記第１本体１１０には、電源を供給するための電線１１４が備えられ得る。前記電線１１４は、前記第１本体１１０の背面１１１から延びる。
【００４２】
前記第１本体１１０には、前記電線１１４が連結される連結端子１１７が備えられ得る。前記電線１１４の一段部は、前記連結端子１１７を介して前記第１本体１１０と連結され得る。
【００４３】
前記連結端子１１７には、前記第１充電端子１１３と前記第２充電端子１３１とが連結される。これに伴い、前記電線１１４を介して印加される電源が前記第１充電端子１１３および前記第２充電端子１３１に供給され得る。
【００４４】
前記連結端子１１７は、前記第１本体１１０の背面１１１に備えられ得る。また、前記連結端子１１７は、前記第１充電端子１１３と前記第２充電端子１３１との間に配置され得る。すなわち、前記連結端子１１７は、前記第１充電端子１１３の下方に配置され、前記第２充電端子１３１は、前記連結端子１１７の下方に配置され得る。
【００４５】
前記電線１１４の他の端部には、電源プラグ（図示せず）が連結され得る。前記電源プラグは、コンセントなどに連結されることによって外部電源の供給を受けることができる。
【００４６】
前記電線１１４は、前記支持台２２０と結合することができる。具体的に、前記電線１１４は、前記支持台２２０の背面に連結されて前記ベース２１０に延びることができる。前記支持台２２０の背面には、前記電線１１４を固定するための部材が備えられ得る。
【００４７】
前記電線１１４は、前記ベース２１０の上段を通じて前記ベース２１０の内部に延び、前記ベース２１０の側面部または底面部を通じて再び前記ベース２１０の外部に延びることができる。
【００４８】
前記ベース２１０には、前記電線１１４を巻くためのコードリール（ｃｏｒｄ  ｒｅｅｌ）（図示せず）が備えられ得る。具体的に、前記コードリールは，前記ベース２１０の内部に備えられ得る。したがって、使用者は，必要に応じて前記電線１１４の延長の長さを調節することができる。
【００４９】
前記ベース２１０は，前記掃除機３００の吸込ノズル３４０が据え置かれる傾斜面２１３および前記掃除機３００の吸込ノズル３４０の離脱を防止するためのストッパー２１５とを含むことができる。
【００５０】
前記ストッパー２１５は，前記傾斜面２１３の端部に突出して形成され得る。前記ストッパー２１５は、前記吸込ノズル３４が前記ベース２１０に安定的に安着した状態を維持できるように支持する役割をする。
【００５１】
一方、前記第１本体１１０には、塵埃収集部（図示せず）が備えられ得る。前記塵埃収集部は、前記掃除機本体３１０に備えられた集塵筒３１５と連通することができる。前記集塵筒３１５に集塵された塵埃は、前記掃除機本体３１０の吸込モーターで発生する吸込力、または、前記塵埃収集部に備えられた別途の装置で発生した吸込力により前記塵埃収集部に移動することができる。前記塵埃収集部が備えられることによって使用者が前記集塵筒３１５に集塵された塵埃を直接取り除かなくても良いので使用者の便宜性が向上し得る。
【００５２】
前記第１本体１１０の背面１１１には、壁面と一定の距離を維持するための離隔部材（図示せず）が備えられ得る。前記離隔部材は、前記第１本体１１０の背面１１１から後方に向かって延びて形成され得る。前記離隔部材が備えられることに伴って前記第１本体１１０が外力によって壁面に衝突する現象を防止することができる。
【００５３】
前記第１本体１１０の背面１１１には、前記充電台１００を壁面などに固定するための固定部１１５ａ、１１５ｂが備えられ得る。これに伴い、前記充電台１００は、前記支持台２２０から分離された状態で壁面に固定され得る（図２３参照）。前記固定部１１５ａ、１１５ｂは、孔または溝形状に形成され得る。これに伴い、前記固定部１１５ａ、１１５ｂに壁面に設置されたクギなどが挿入されることによって、前記第１本体１１０が壁面に固定され得る。
【００５４】
以下では、前記充電台１０に前記掃除機３００が結合される方法について説明する。
【００５５】
図６は、充電台に掃除機が結合される様子を示す図である。具体的に、図６の（ａ）は、掃除機が掃除機ガイドによってガイドされる様子を示し、図６の（ｂ）は、ロッキング部が掃除機に結合される様子を示す。
【００５６】
図６を参照すると、前記掃除機本体３１０は、前記掃除機ガイド１３７に支持された状態で前記掃除機ガイド１３７に沿って前後方に移動することができる。これに伴い、前記掃除機本体３１０は、前記第１充電端子１１３と選択的に接触することができる。
【００５７】
前記ロッキング部１２０は、前記第１本体１１０に所定の角度範囲内で回転可能に連結され得る。図６の（ａ）は、前記ロッキング部１２０が後方（図６の（ａ）で時計方向）に最大限回転した状態を示す。
【００５８】
前記第１本体１１０には、前記ロッキング部１２０に弾性力を加えるための弾性部材（図示せず）が備えられ得る。前記ロッキング部１２０が後方に回転した状態では、前記弾性部材（図示せず）は、前記ロッキング部１２０が後方に回転した状態を維持されるように後方に弾性力を加えることができる。
【００５９】
前記ロッキング部１２０には、押え部１２３が備えられ得る。前記押え部１２３は、前記ロッキング部１２０の内側に備えられ得る。前記押え部１２３は、前記掃除機本体３１０が前記ガイド部１１６に沿って移動する過程で前記バッテリーハウジング３２０により加圧され得る。
【００６０】
前記バッテリーハウジング３２０が前記押え部１２３を加圧すると、前記ロッキング部１２０が作動することがある。
【００６１】
具体的に、前記ロッキング部１２０が作動すると、前記ロッキング部１２０は、前方（図６の（ｂ）で半時計方向）に回転して前記バッテリーハウジング３２０の外周面と結合することができる。これに伴い、前記ロッキング部１２０は、前記バッテリーハウジング３２０の少なくとも一部をカバーすることができる。
【００６２】
前記ロッキング部１２０が前方に回転すると、前記弾性部材（図示せず）は、前記ロッキング部１２０が前方に回転した状態を維持するように弾性力を提供することができる。これに伴い、前記ロッキング部１２０は、前記バッテリーハウジング３２０を前記第１本体１１０に固定する役割をすることができる。
【００６３】
以下では、前記ロッキング部１２０の細部構成および作動原理について詳細に説明する。
【００６４】
図７は、第１本体からロッキング部が脱去された様子を示す図であり、図８は、ロッキング部の背面を示す図である。
【００６５】
図７および図８を参照すると、前記ロッキング部１２０はカバー部１２１および抑え部１２３を含む。前記カバー部１２１はアーチ形状に刑成され、前記カバー部１２１の底面には前記抑え部１２３が連結され得る。
【００６６】
前記ロッキング部１２０が前記掃除機３００と結合する場合、前記カバー部１２１は、前記掃除機３００のバッテリーハウジング３２０の少なくとも一部を囲む。
【００６７】
前記抑え部１２３の背面１２３ａには、前記第１本体１１０に回転可能に結合される第１ヒンジ部１２４が備えられる。
【００６８】
前記第１ヒンジ部１２４は、前記第１本体１１０に備えられたヒンジ結合部１１０４とヒンジ結合される。これに伴い、前記ロッキング部１２０は前記第１ヒンジ部１２４を中心に上下方向に回転することができる。示されたように、前記第１ヒンジ部１２４は一対で構成され得る。
【００６９】
前記ロッキング部１２０の上側方向の回転範囲は、前記ロッキング部１２０の後段部１２５により制限され得る。すなわち、前記ロッキング部１２０が上側方向に一定角度以上に回転すると、前記ロッキング部１２０の後段部１２５が前記第１本体１１０の一段部(上部ストッパー)に接触することによって、前記ロッキング部１２０の上側方向の回転範囲を制限することができる。
【００７０】
前記第１本体１１０には、前記第１充電端子１１３が突出する前面カバー１１０１が備えられる。
【００７１】
前記前面カバー１１０１には、前記ロッキング部１２０の下側への回転範囲を制限するための下部ストッパー１１０２が備えられ得る。
【００７２】
前記前面カバー１１０１には、開口部１１０３が形成され得る。前記ロッキング部１２０の一部は、前記開口部１１０３に挿入されることによって前記ロッキング部１２０の作動のための弾性力が提供され得る。前記ロッキング部１２０に弾性力を伝達するために前記第１本体１１０の内部にリンク部材が備えられる。
【００７３】
前記抑え部１２３の背面１２３ａには、前記リンク部材と連結される第２ヒンジ部１２６を含む。以下では、前記ロッキング部１２０の作動原理について詳細に説明する。
【００７４】
図９は、第１本体から前面カバーが脱去された様子を示す図であり、図１０は、図９のロッキング部が上側に回転した様子を示す図であり、図１１は、図９でロッキング部が除去された様子を示す図であり、図１２は、ロッキング部が上側に回転した場合のリンク部材の様子を示す図であり、図１３は、図１１の分解斜視図であり、図１４は、ロッキング部が閉じられた状態で断面が第１リンク部材を通るように切開した充電台の縦断面図であり、図１５は、ロッキング部が閉じられた状態で断面が第２リンク部材を通るように切開した充電台の縦断面図であり、図１６は、ロッキング部が閉じられた状態で断面が第２リンク部材のガイド部材を通るように切開した充電台の縦断面図であり、図１７は、ロッキング部が開かれた状態での充電台の縦断面図である。
【００７５】
図９ないし図１７を参照すると、前記第１本体１１０の内部には、前記ロッキング部１２０と連結される複数のリンク部材１４０、１５０が備えられ得る。
【００７６】
前記複数のリンク部材１４０、１５０は、前記ロッキング部１２０と連結される第１リンク部材１４０と、前記第１リンク部材１４０と連結される第２リンク部材１５０とを含む。
【００７７】
前記第１リンク部材１４０の一側は、前記ロッキング部１２０に回転可能に連結され、前記第１リンク部材１４０の他側は、前記第２リンク部材１５０に回転可能に連結される。前記第２リンク部材１５０は、前記第１本体１１０内部に上下に移動可能に設置される。
【００７８】
前記第１リンク部材１４０は、本体部１４２と、前記本体部１４２に備えられて前記ロッキング部１２０に回転可能に連結される第１ヒンジ軸１４４および前記本体部１４２に備えられて前記第２リンク部材１５０に回転可能に連結される第２ヒンジ軸１４６を含むことができる。
【００７９】
前記第１ヒンジ軸１４４は、前記ロッキング部１２０の第２ヒンジ部１２６と結合することができる。これに伴い、前記第１リンク部材１４０は、前記ロッキング部１２０に対し回転することができる。
【００８０】
前記第２リンク部材１５０は、本体部１５２と、前記本体部１５２に備えられて前記第１リンク部材１４０の第２ヒンジ軸１４６が結合される結合溝１５４および前記本体部１５２に備えられて前記第１本体１１０と結合して上下に移動するためのガイド部材１５６を含むことができる。
【００８１】
前記結合溝１５４は、上方に開口された形状に形成され得る。前記第１リンク部材１４０の第２ヒンジ軸１４６は、前記開口された部分を通じて前記結合溝１５４に挿入され得る。このように、前記結合溝１５４は、上方に開口された形状に形成されることによって、前記第１リンク部材１４０と前記第２リンク部材１５０を容易に結合することができる。
【００８２】
前記第１本体１１０には、前記第２リンク部材１５０の上下方向移動をガイドするためのガイドリーブ１１０６が備えられ得る。前記ガイドリーブ１１０６は、上下方向に延びて形成され得る。また、前記ガイドリーブ１１０６は、前記第２リンク部材１５０のガイド部材１５６に挿入され得る。これに伴い、前記第２リンク部材１５０は、上下方向に移動がガイドされ得る。
【００８３】
一方、示されたように前記結合溝１５４と前記ガイド部材１５６は一体に形成され得る。
【００８４】
前記第２リンク部材１５０の下方には、弾性部材１６０が備えられ得る。前記弾性部材１６０の一側は、前記第２リンク部材１５０の下方に連結され、前記弾性部材１６０の他側は、前記第１本体１１０に固定される。前記弾性部材１６０は、前記第２リンク部材１５０に上方に弾性力を加えることができる。前記第２リンク部材１５０には、前記弾性部材１６０の少なくとも一部が挿入される挿入溝１５３が形成され得る。
【００８５】
前記ロッキング部１２０が閉じられた状態、すなわち前記ロッキング部１２０が下方に最大限回転した状態では、前記第１リンク部材１４０は、後方に最大限回転した状態に維持される。具体的に、前記第１リンク部材１４０は、前記第２リンク部材１５０の移動軌跡を基準として後方に回転した状態に維持され得る。したがって、前記弾性部材１６０が前記第２リンク部材１５０に上方に弾性力を加えても前記第２リンク部材１５０は上昇しなくなる。
【００８６】
その反対に、 前記ロッキング部１２０が開かれる場合、すなわち前記ロッキング部１２０が上方に回転すると、前記第１リンク部材１４０の第１ヒンジ軸１４４は、前記ロッキング部１２０に沿って前方上側に移動する。このとき、前記第１リンク部材１４０の第２ヒンジ軸１４４は、前記第２リンク部材１５０によって上下方向にだけ移動が可能であり、前後方への移動が制限されるので上側に移動する。前記弾性部材１６０は、前記第２リンク部材１５０に上方に弾性力を加えるので、前記第１リンク部材１４０の上昇によって前記第２リンク部材１５０も前記第１リンク部材１４０に沿って上昇するようになる。
【００８７】
前記ロッキング部１２０が上方に最大限回転した状態では、前記弾性部材１６０の弾性力によって前記ロッキング部１２０の開かれた状態が維持され得る。このとき、前記ロッキング部１２０に下方に所定の大きさ以上の回転力を加えると、前記ロッキング部１２０は再び閉じられた状態に変更され得る。
【００８８】
一方、示されなかったが、前記充電台１００には、前記第２リンク部材１５０を上昇または下降させるための操作ボタン（図示せず）が備えられ得る。使用者は、前記ボタンを操作して、前記第２リンク部材１５０を自動で上昇させることによって前記ロッキング部１２０を開かれた状態で回転させたり、前記第２リンク部材１５０を自動で下降させることによって前記ロッキング部１２０を閉じられた状態で回転させることができる。
【００８９】
前記ロッキング部１２０の回転を制御するための操作ボタンを「第１条作ボタン」と称し、前記固定突起１１６を制御するための操作ボタンを「第２条作ボタン」と称することができる。
【００９０】
図１８は、掃除機の充電台から補助バッテリーが分離された様子を示す図であり、図１９は、図１８の第２本体の内部を示す図であり、図２０は、充電台の縦断面図である。
【００９１】
図１８ないし図２０を参照すると、前記第２本体１３０には、前記補助バッテリー３０２を収容するためのバッテリー収容空間１３０ａが形成される。前記バッテリー収容空間１３０ａは、前記第２本体１３０の上面から下方に陥没して形成され得る。
【００９２】
前記第２本体１３０の内側には、前記補助バッテリー３０２を充電させるための第２充電端子１３１が備えられる。前記第２充電端子１３１は、前記第１充電端子１１３より下側に配置され得る。前記第２充電端子１３１は、前記第２本体１３０に収容された補助バッテリー３０２と選択的に接触することができる。
【００９３】
前記第２本体１３０には、前記第２充電端子１３１が備えられる陥没部１３３が備えられ得る。
【００９４】
前記陥没部１３３は、前記第２本体１３０の床面から下方に陥没して形成され得る。前記第２充電端子１３１は、前記陥没部１３３の床面に備えられ、前記陥没部１３３の床面から上方に突出して形成され得る。前記第２充電端子１３１が上方に突出した長さは、陥没部１３３の深さより短く形成され得る。これに伴い、前記第２充電端子１３１の上段部は、前記バッテリー収容空間１３０ａの底面１３０ｂより下側に配置され得る。すなわち、前記第２充電端子１３１は、前記陥没部１３３に収容されるので、前記第２充電端子１３１が外力によって損傷する現象を最小化することができる。
【００９５】
前記バッテリー収容空間１３０ａの一側には、使用者が前記バッテリー収容空間１３０ａに収容された補助バッテリー３０２を把持することが容易となるようにするための溝部１３２、１３４、１１２が形成され得る。使用者は、前記溝部１３２、１３４、１１２を通じて前記補助バッテリー３０２の側面部を把持することができる。前記溝部１３２、１３４、１１２は、前記バッテリー収容空間１３０ａの前方に備えられる第１溝部１３２と、前記バッテリー収容空間１３０ａの後方に備えられる第２溝部１３４および第３溝部１１２とを含むことができる。
【００９６】
前記第１溝部１３２は、前記第２本体１３０前面部の上段から下方に切開された形状に形成され得る。前記第２溝部１３４は、前記第２本体１３０の後面部の上段から下方に切開されて形成され得る。したがって、前記第２溝部１３４は、前記バッテリー収容空間１３０ａと連結される。また、前記第２溝部１３４は、前記第１溝部１３２と向かい合うように配置され得る。
【００９７】
前記第３溝部１１２は、使用者の指が挿入されて前記第２結合部１３４と接触できるように陥没して形成される。具体的に、前記第３溝部１１２は、前記第１本体１１０に備えられ、前記第１本体１１０から後方に陥没して形成され得る。また、前記第３溝部１１２は、前記バッテリー収容空間１３０ａと少なくとも一部分が重なるように上方および下方に延びて形成され得る。また、前記第３溝部１１２は、前記第２溝部１３４と連結され得る。したがって、前記第２溝部１３４は、前記第３溝部１１２と前記バッテリー収容空間１３０ａとを連結することができる。前記第３溝部１１２は、示されたように前記第２溝部１３４と一つの溝を形成することができる。
【００９８】
前記第２本体１３０は、前記補助バッテリー３０２の残量を表示するための表示部１３５をさらに含むことができる。前記表示部１３５は、示されたことと異なって前記第１本体１１０に備えられることも可能である。
【００９９】
前記表示部１３５は、多様な色を表示できるＬＥＤ照明を含むことができる。一例として、前記表示部１３５は、前記補助バッテリー３０２の残量を３段階で表示することができる。具体的に、前記表示部１３５は、前記補助バッテリー３０２の残量を上中下に分けて各段階により異なる色を表示することができる。また、前記表示部１３５は、前記補助バッテリー３０２の充電中には、点滅することによって充電状態を使用者に知らせることができる。
【０１００】
前記補助バッテリー３０２をガイドするバッテリーガイド１３６は、前記掃除機ガイド１３７の下側に備えられ、下方に延びて形成され得る。
【０１０１】
前記バッテリーガイド１３６は、前記補助バッテリー３０２と対応する形状に形成され得る。これに伴い、前記第２本体１３０に引入される補助バッテリー３０２の端子の位置が前記第２充電端子１３１の位置と正確に整列することができる。示されなかったが、前記バッテリーガイド１３６には、前記補助バッテリー３０２の引出しまたは引入れをより効果的にガイドするための突起または溝が形成され得る。
【０１０２】
前記バッテリーガイド１３６には、前記補助バッテリー３０２が出し入れされる入口部１３８が備えられ得る。前記入口部１３８は、前記バッテリーガイド１３６の上側に備えられ、所定の高さを有するように上側に延びて形成され得る。これに伴い、前記入口部１３８の上段は、前記バッテリー収容空間１３０ａに収容された補助バッテリー３０２の上段部より上側に配置され得る。
【０１０３】
前記補助バッテリー３０２の挿入が容易となるように前記入口部１３８の内周面は、前記バッテリーガイド１３６と段差があるように形成され得る。具体的に、前記入口部１３８の内周面は、前記バッテリーガイド１３６の内周面より広く形成され得る。これに伴い、前記入口部１３８と前記バッテリーガイド１３６の境界には安着部１３８２が形成され、前記補助バッテリー３０２の端顎部３０２８は、前記安着部１３８２に安着されることができる。
【０１０４】
このように、前記バッテリーガイド１３６は、前記補助バッテリー３０２と対応する形状に形成されるので直接挿入が困難である問題があるが、前記バッテリーガイド１３６より幅が広い入口部１３８が備えられることによって前記補助バッテリー３０２を容易に挿入することができる。
【０１０５】
前記第２本体１３０には排水孔１３９が備えられ得る。前記排水孔１３９は、前記第２本体１３０の底面に形成されて外部空間と連通することができる。前記排水孔１３９は、前記第２本体１３０内部に流入する水などの液体が前記第２本体１３０内部に溜まることを防止するためのものである。これに伴い、前記第２充電端子１３１が水などの液体によって損傷する現象を防止することができる。
【０１０６】
前記排水孔１３９は、前記陥没部１３３に備えられ、前記第２充電端子１３１と隣接するように配置され得る。これに伴い、前記第２充電端子１３１の周辺部に淀んだ水などの液体が直ちに排水され得る。また、前記排水孔１３９は、示されたことと異なって複数で提供され得る。
【０１０７】
図２１は、充電台からノズルが分離された様子を示す図である。
【０１０８】
図２１を参照すると、前記第１本体１１０には、前記余分のノズル３０３、３０４が選択的に結合される連結部１１８a、１１８bが備えられる。前記連結部１１８a、１１８bは、前記第１本体１１０の一側から延びることができる。
【０１０９】
使用者は、必要に応じてそれぞれのノズル３０３、３０４を前記連結部１１８a、１１８bに脱着することができる。これに伴い、前記余分のノズル３０３、３０４の保管および使用が容易になるので使用者の便宜性が向上し得る。
【０１１０】
図２２は、充電台が支持台から分離された様子を示す図であり、図２０は、掃除機が据え置かれた充電台が壁面に装着された様子を示す図である。
【０１１１】
図２２および図２３を参照すると、前記充電台１００には、前記支持台２２０が結合される結合部１１９が形成され得る。前記結合部１１９は、前記第１本体１１０に備えられ得る。前記支持台２２０は、前記結合部１１９に分離可能に結合され得る。これに伴い、使用者は前記第１本体１１０と前記支持台２２０を容易に分離することができる。
【０１１２】
必要に応じて、使用者は、前記固定部１１５ａ、１１５ｂを利用して前記支持台２２０が分離された充電台本体１１０を壁面２に固定することができる。
【０１１３】
図２４は、充電台が床面によって支持される様子を示す図である。
【０１１４】
図２４を参照すると、前記充電台１００の背面１１１は底面によって支持され得る。これのために前記充電台１００の背面１１１は平らな形状に形成され得る。
【０１１５】
前記掃除機３００は、前記第１本体１１０の上側に安着して据え置かれ、前記ロッキング部１２０は、前記掃除機３００の側方で結合されることによって前記掃除機３００を固定させることができる。
【０１１６】
このように、前記充電台１００は、使用状況によって多様な方法で据え置かれ得るので、使用者の便宜性が増大することができる。
【０１１７】
本発明の掃除機据置台は、掃除機のバッテリーを充電するための充電端子が備えられる充電台；前記充電台に回転可能に備えられ、前記掃除機と結合して前記掃除機を固定するロッキング部；および前記充電台に備えられて前記掃除機が前記充電端子に連結されるようにガイドする掃除機ガイドを含むことができる。
【０１１８】
前記ロッキング部には、外力によって加圧されると、前記ロッキング部を作動させる抑え部が備えられ得る。
【０１１９】
前記掃除機が前記掃除機ガイドによって前記充電端子方向にガイドされる過程において、前記抑え部は前記掃除機によって加圧され得る。
【０１２０】
前記充電台には、バッテリーを収容できるバッテリー収容空間が備えられ得る。
【０１２１】
前記バッテリー収容空間の一側には、使用者が前記バッテリーを把持することが容易となるように溝部が備えられ得る。
【０１２２】
前記充電台には、アクセサリーを固定するための連結部が備えられ得る。
【０１２３】
前記充電台の背面には、壁面に固定するための固定部が備えられ得る。
【０１２４】
前記充電台を支持するためのスタンドをさらに含むことができる。
【０１２５】
前記スタンドは、床面に支持されるベースと、前記ベースから延びて前記充電台に脱着可能に連結される支持台を含むことができる。
【０１２６】
前記支持台には、前記充電台に連結された電線が固定され得る。
【０１２７】
前記ベースには、前記掃除機の吸込ノズルが据え置かれる傾斜面および前記吸込ノズルの離脱を防止するためのストッパーが形成され得る。
【図１】
2019514605.tif 000003
【図２】
2019514605.tif 000004
【図３】
2019514605.tif 000005
【図４】
2019514605.tif 000006
【図５】
2019514605.tif 000007
【図６】
2019514605.tif 000008
【図７】
2019514605.tif 000009
【図８】
2019514605.tif 000010
【図９】
2019514605.tif 000011
【図１０】
2019514605.tif 000012
【図１１】
2019514605.tif 000013
【図１２】
2019514605.tif 000014
【図１３】
2019514605.tif 000015
【図１４】
2019514605.tif 000016
【図１５】
2019514605.tif 000017
【図１６】
2019514605.tif 000018
【図１７】
2019514605.tif 000019
【図１８】
2019514605.tif 000020
【図１９】
2019514605.tif 000021
【図２０】
2019514605.tif 000022
【図２１】
2019514605.tif 000023
【図２２】
2019514605.tif 000024
【図２３】
2019514605.tif 000025
【図２４】
2019514605.tif 000026
【国際調査報告】
2019514605.tif 000027
2019514605.tif 000028
2019514605.tif 000029
2019514605.tif 000030